(57)【要約】    【課題】釣道具を着脱自在に保持すると共にユーティリティに優れたフィッシングベルトの提供。    【解決手段】このフィッシングベルト１０は、釣人の腰に巻き付けられるベルト本体１２と、ベルト本体１２の端部に設けられたソケット部材１３及びスタッド部材１４と、釣具アンカー１１と、腰パッド１５とを備えている。腰パッド１５は、ベルト本体１２の端部に設けられている。釣具アンカー１１は、取付ベルト２５によってベルト本体１２に取り付けられている。釣具アンカー１１は、ベルト本体１２に沿って自由にスライドする。釣具アンカー１１は、係合バー２７を備える。【選択図】図１
2006230308.tif 000002
【特許請求の範囲】
【請求項１】
釣人の腰に巻き付けられるベルト本体と、
ベルト本体の一端に設けられたソケット部材及びベルト本体の他端に設けられ、ソケット部材に連結解除自在に連結されるスタッド部材と、
ソケット部材又はスタッド部材に隣接するようにベルト本体の端部に設けられ、釣人の腰部を覆う腰パッドと、
ベルト本体の長手方向に沿ってスライド自在に設けられた釣具アンカーとを備えたフィッシングベルト。
【請求項２】
上記釣具アンカーは、上記ベルト本体に着脱自在に巻き付けられる取付ベルトを有する請求項１に記載のフィッシングベルト。
【請求項３】
上記釣具アンカーは、係合バーを備えている請求項１又は２に記載のフィッシングベルト。
【請求項４】
上記腰パッドは、上記ベルト本体の長手方向に沿って配置された可撓性を有する細長平板状部材である請求項１から３のいずれかに記載のフィッシングベルト。
【請求項５】
上記腰パッドの内面に凹凸が形成されている請求項１から４のいずれかに記載のフィッシングベルト。
【請求項６】
上記腰パッドは、上記ベルト本体が挿通されるベルト挿通環を有し、上記ベルト本体の一部が当該ベルト挿通環に掛け回されて当該腰パッド内で任意に折り返されるように形成されている請求項１から５のいずれかに記載のフィッシングベルト。
【請求項７】
釣人の腰に巻き付けられるベルト本体と、
ベルト本体の一端に設けられたソケット部材及びベルト本体の他端に設けられ、ソケット部材に連結解除自在に連結されるスタッド部材と、
ソケット部材又はスタッド部材に隣接するようにベルト本体の端部に設けられ、釣人の腰部を覆う腰パッドと、
ベルト本体に巻き付けられたクッション部材とを備えたフィッシングベルト。
【請求項８】
上記クッション部材は、肉厚が１．０ｍｍ〜１０．０ｍｍの弾性シートからなるフィッシングベルト。
【請求項９】
上記クッション部材は、当該クッション部材が上記ベルト本体に巻き付いた状態を保持する面ファスナーを備えている請求項７又は８に記載のフィッシングベルト。
【請求項１０】
上記ベルト本体の長手方向に沿ってスライド自在に設けられた釣具アンカーがさらに備えられている請求項７から９のいずれかに記載のフィッシングベルト。
【請求項１１】
釣人の腰に巻き付けられるベルト本体と、
ベルト本体の一端に設けられたソケット部材及びベルト本体の他端に設けられ、ソケット部材に連結解除自在に連結されるスタッド部材と、
ソケット部材又はスタッド部材に隣接するようにベルト本体の端部に設けられ、釣人の腰部を覆う腰パッドと、
折りたたみ可能な可撓性を有し、折りたたまれた状態で腰パッドに着脱自在に設けられた魚籠とを備えたフィッシングベルト。
【請求項１２】
上記腰パッドは、折りたたまれた魚籠を囲繞保持する保持ベルトを備えている請求項１１に記載のフィッシングベルト。
【請求項１３】
上記保持ベルトは、中央部が上記腰パッドに固定されると共に両端部同士が面ファスナーを介して着脱自在となっている弾性帯からなる請求項１２に記載のフィッシングベルト。
【請求項１４】
上記ベルト本体の長手方向に沿ってスライド自在に設けられた釣具アンカーがさらに備えられている請求項１１から１３のいずれかに記載のフィッシングベルト。
【請求項１５】
上記ベルト本体に巻き付けられたクッション部材がさらに備えられている請求項１１から１４のいずれかに記載のフィッシングベルト。
【請求項１６】
釣人の腰に巻き付けられるベルト本体と、
ベルト本体の一端に設けられたソケット部材及びベルト本体の他端に設けられ、ソケット部材に連結解除自在に連結されるスタッド部材と、
ソケット部材又はスタッド部材に隣接するようにベルト本体の端部に設けられ、釣人の腰部を覆う腰パッドと、
ベルト本体に着脱自在に設けられた小物収容ポーチとを備えたフィッシングベルト。
【請求項１７】
上記小物収容ポーチは、上記ベルト本体に着脱自在に巻き付けられる係止ベルトを有する請求項１６に記載のフィッシングベルト。
【請求項１８】
上記ベルト本体の長手方向に沿ってスライド自在に設けられた釣具アンカーがさらに備えられている請求項１６又は１７に記載のフィッシングベルト。
【請求項１９】
上記ベルト本体に巻き付けられたクッション部材がさらに備えられている請求項１６から１８のいずれかに記載のフィッシングベルト。
【請求項２０】
折りたたみ可能な可撓性を有し、折りたたまれた状態で腰パッドに着脱自在に設けられた魚籠がさらに備えられている請求項１６から１９のいずれかに記載のフィッシングベルト。
【発明の詳細な説明】
【技術分野】
【０００１】
本発明は、渓流釣り、鮎釣りの際に使用されるフィッシングベルトの構造に関するものである。
【背景技術】
【０００２】
渓流釣りや鮎釣りにおいては、釣人は、河原を徒歩で移動しながらヒットポイント（ターゲットがヒットする釣場）を模索する。したがって、釣人は、例えばタモ網、魚籠あるいは曳舟等の釣道具を常に携帯しなければならない。ところが、このような釣道具は、釣人が着用するウェアのポケット等に簡単に収まるような小物ではなく、一般にそのサイズが大きく、釣人がコンパクトに収納して携帯することは容易ではない。特にタモ網は、ヒットした魚をすくう際に迅速に取り出され、当該魚を取り込んだ後には実釣の妨げにならないように迅速に所定位置に再収納されなければならない。このため、従来では、タモ網を確実に保持すると共に所要時に迅速に取り出すことができる玉網ホルダーが提供されている（例えば、特許文献１参照）。
【０００３】
【特許文献１】特開２００３−２３５４０３公報
【発明の開示】
【発明が解決しようとする課題】
【０００４】
上記特許文献１に記載された玉網ホルダーは、玉網を挟持する挟持部を備えており、この挟持部は、ラチェット機構により各軸に玉網の柄を保持するようになっている。しかし、このようなラチェット機構は、玉網の柄を確実に保持することが可能である反面、釣人が玉網の柄を挟持部に保持させる作業及び玉網の柄を挟持部から取り外す作業を迅速に行うことは困難である。なぜなら、玉網の着脱作業においては、釣人は、上記ラチェット機構を一々操作しなければならないからである。
【０００５】
また、上記釣場の環境は一様ではなく、場合によっては、釣人は、水深が深く且つ流れが速いポイントで釣るために（いわゆる本流釣り）、下半身を水中に進入させることもある。そのような過酷な状況においても釣人が複数の釣道具を確実に携帯するためには、フィッシングベルトの使い勝手（ユーティリティ）が向上されなければならないという要請がある。
【０００６】
そこで、本発明の目的は、釣道具を着脱自在に保持すると共にユーティリティに優れたフィッシングベルトを提供することである。
【課題を解決するための手段】
【０００７】
(1) 上記目的が達成されるため、本発明に係るフィッシングベルトは、釣人の腰に巻き付けられるベルト本体と、ベルト本体の一端に設けられたソケット部材及びベルト本体の他端に設けられ、ソケット部材に連結解除自在に連結されるスタッド部材と、ソケット部材又はスタッド部材に隣接するようにベルト本体の端部に設けられ、釣人の腰部を覆う腰パッドと、ベルト本体の長手方向に沿ってスライド自在に設けられた釣具アンカーとを備えたことを特徴とするものである。
【０００８】
釣人は、ベルト本体を腰に巻き回すと共に当該ベルト本体の両端部に設けられたソケット部材とスタッド部材とを連結する。これにより、ベルト本体が釣人の腰に確実に巻き付けられる。なお、釣人は、スタッド部材をソケット部材から取り外すことにより、腰に巻き付けられたベルト本体を簡単に取り外すことができる。ベルト本体が釣人の腰に巻き付けられると、腰パッドが釣人の腰を覆う。これにより、ベルト本体は釣人の身体（腰部）に安定的に位置決めされた状態で配置され、実釣中に当該フィッシングベルトが釣人の身体に対してずれてしまうことがない。
【０００９】
釣具アンカーがベルト本体に設けられているので、例えば、曳舟その他の釣道具がこの釣具アンカーに係留され得る。したがって、釣人は、各種釣道具を携帯したままで釣場を移動することができる。この釣具アンカーは、ベルト本体の長手方向に沿ってスライド自在であるから、釣人は、釣具アンカーをスライドさせることによって所望の位置に配置することができる。これにより、釣人は、実釣及び釣場の移動の妨げにならない位置に釣道具を係留することができる。しかも、上記腰パッドがベルト本体の端部に配置されていることから、この腰パッドが釣具アンカーのスライドの妨げにならず、釣具アンカーのスライド許容範囲が大きくなる。したがって、釣具アンカーは、当該釣人が所望する最適の位置に配置され得る。
【００１０】
上記釣具アンカーは、上記ベルト本体に着脱自在に巻き付けられる取付ベルトを備えているのが好ましい。釣人は、この取付ベルトを操作することによって、釣具アンカーをベルト本体に自在に着脱することができる。したがって、釣人が釣具アンカーを必要としないときは、これを取り外しておくことができる。
【００１１】
上記釣具アンカーは、係合バーを備えているのが好ましい。係合バーは、例えばベルト本体の長手方向に沿って配置された円柱状部材であってもよい。この係合バーが設けられることにより、係留のためのフック等を有する釣道具が簡単に係留され、また当該係留が容易に解除され得る。
【００１２】
上記腰パッドは、上記ベルト本体の長手方向に沿って配置された可撓性を有する細長平板状部材であるのが好ましい。これにより、腰パッドが釣人の腰部にソフトにフィットし、腰パッドが実釣及び釣場の移動における釣人の身体の動きに追従する。したがって、釣人は、当該フィッシングベルトを着用したときであっても、身体を容易に動かすことができる。
【００１３】
上記腰パッドの内面に凹凸が形成されているのが好ましい。腰パッドの内面は、釣人の腰部と接触する部分であるから、当該内面に凹凸が形成されることにより、腰パッドと釣人の腰部（具体的には、釣人が着用しているウェアの生地）との間の摩擦抵抗が大きくなる。したがって、腰パッドが釣人の身体に対して滑りにくくなり、釣人の腰部に確実にフィットする。これにより、腰パッドが実釣及び釣場の移動における釣人の身体の動きに追従することができ、釣人は、当該フィッシングベルトを着用したときであっても、身体を容易に動かすことができる。
【００１４】
上記腰パッドは、上記ベルト本体が挿通されるベルト挿通環を有し、上記ベルト本体の一部が当該ベルト挿通環に掛け回されて当該腰パッド内で任意に折り返されるように形成されているのが好ましい。この構成では、ベルト本体の一部は、腰パッドのベルト挿通環に挿通されて任意に折り返されるから、この折り返し部分の長さが大きく設定されることにより、当該フィッシングベルトの長さ（具体的には、ベルト本体に設けられたソケット部材からスタッド部材までの距離）が短くなるように調整され、また、この折り返し部分の長さが小さく設定されることにより、当該フィッシングベルトの長さが長くなるように調整される。すなわち、当該フィッシングベルトは、釣人の体格に合わせて長さ調整が可能であり、体格にかかわらず釣人の身体にフィットする。加えて、この腰パッドが上記ベルト本体の長さ調整機能を備えることになるから、ベルト本体の長さを調整するための部材は不要である。これにより、例えば前述の釣具アンカーのスライド許容範囲がさらに大きくなり、釣具アンカーは、当該釣人とってより最適な位置に配置され得る。
【００１５】
(2) 上記目的が達成されるため、本発明に係るフィッシングベルトは、釣人の腰に巻き付けられるベルト本体と、ベルト本体の一端に設けられたソケット部材及びベルト本体の他端に設けられ、ソケット部材に連結解除自在に連結されるスタッド部材と、ソケット部材又はスタッド部材に隣接するようにベルト本体の端部に設けられ、釣人の腰部を覆う腰パッドと、ベルト本体に巻き付けられたクッション部材とを備えたことを特徴とするものである。
【００１６】
釣人は、ベルト本体を腰に巻き回すと共に当該ベルト本体の両端部に設けられたソケット部材とスタッド部材とを連結する。これにより、ベルト本体が釣人の腰に確実に巻き付けられる。なお、釣人は、スタッド部材をソケット部材から取り外すことにより、腰に巻き付けられたベルト本体を簡単に取り外すことができる。ベルト本体が釣人の腰に巻き付けられると、腰パッドが釣人の腰を覆う。これにより、ベルト本体は釣人の身体（腰部）に安定的に位置決めされた状態で配置され、実釣中に当該フィッシングベルトが釣人の身体に対してずれてしまうことがない。
【００１７】
実釣において、釣人は、タモ網の柄を身体とベルト本体との間に挿入することによってタモ網を携帯保持し、タモ網の柄をベルト本体から引き抜くことによってタモ網を操作することができる。ベルト本体にクッション部材が巻き付けられているので、タモ網の柄は、当該クッション部材と釣人の身体との間で挿抜されることとなる。具体的には、クッション部材が弾性変形することによって、タモ網の柄がクッション部材と釣人の身体との間に挿入されると共に、当該弾性力によってタモ網の柄が固定される。また、かかる弾性力によってタモ網の柄が保持されているから、タモ網の柄が容易にベルト本体から引き抜かれる。つまり、タモ網の柄が容易にベルト本体と釣人の身体との間に挿入され且つ確実に保持されると共に、容易にベルト本体から引き抜かれる。
【００１８】
上記クッション部材は、肉厚が１．０ｍｍ〜１０．０ｍｍの弾性シートから構成されるのが好ましい。この構成では、タモ網の柄は、当該クッション部材と釣人の身体との間にきわめてスムーズに挿入され、且つ確実に保持される。また、タモ網の柄は、容易にベルト本体から引き抜かれる。クッション部材を構成する材料は、典型的にはクロロプレンゴムが採用され得る。
【００１９】
上記クッション部材は、当該クッション部材が上記ベルト本体に巻き付いた状態を保持する面ファスナーを備えているのが好ましい。この面ファスナーによって、クッション部材がベルト本体の任意の位置に保持される。つまり、クッション部材は、釣人が所望するベルト本体の所定の位置に着脱自在に取り付けられる。したがって、釣人は、タモ網の柄を挿抜する作業を最も容易且つ円滑に行うことができる位置にクッション部材を設置することができ、その結果、タモ網の操作性が向上する。
【００２０】
上記ベルト本体の長手方向に沿ってスライド自在に設けられた釣具アンカーがさらに備えられていてもよい。釣具アンカーがベルト本体に設けられているので、例えば、曳舟その他の釣道具がこの釣具アンカーに係留され得る。したがって、釣人は、各種釣道具を携帯したままで釣場を移動することができる。この釣具アンカーは、ベルト本体の長手方向に沿ってスライド自在であるから、釣人は、釣具アンカーをスライドさせることによって所望の位置に配置することができる。これにより、釣人は、実釣及び釣場の移動の妨げにならない位置に釣道具を係留することができる。しかも、上記腰パッドがベルト本体の端部に配置されていることから、この腰パッドが釣具アンカーのスライドの妨げにならず、釣具アンカーのスライド許容範囲が大きくなる。したがって、釣具アンカーは、当該釣人が所望する最適の位置に配置され得る。
【００２１】
(3) 上記目的が達成されるため、本発明に係るフィッシングベルトは、釣人の腰に巻き付けられるベルト本体と、ベルト本体の一端に設けられたソケット部材及びベルト本体の他端に設けられ、ソケット部材に連結解除自在に連結されるスタッド部材と、ソケット部材又はスタッド部材に隣接するようにベルト本体の端部に設けられ、釣人の腰部を覆う腰パッドと、折りたたみ可能な可撓性を有し、折りたたまれた状態で腰パッドに着脱自在に設けられた魚籠とを備えたことを特徴とするものである。
【００２２】
釣人は、ベルト本体を腰に巻き回すと共に当該ベルト本体の両端部に設けられたソケット部材とスタッド部材とを連結する。これにより、ベルト本体が釣人の腰に確実に巻き付けられる。なお、釣人は、スタッド部材をソケット部材から取り外すことにより、腰に巻き付けられたベルト本体を簡単に取り外すことができる。ベルト本体が釣人の腰に巻き付けられると、腰パッドが釣人の腰を覆う。これにより、ベルト本体は釣人の身体（腰部）に安定的に位置決めされた状態で配置され、実釣中に当該フィッシングベルトが釣人の身体に対してずれてしまうことがない。
【００２３】
腰パッドに魚籠が設けられているので、釣人は、魚が釣れた場合に、この魚籠を腰パッドから取り外して当該魚を魚籠に収容することができる。この魚籠は、コンパクトに折りたたまれるから、腰パッドに取り付けられた状態で実釣の妨げになることはない。なお、この魚籠は、魚を収容した状態でベルト本体に係合し得る係合部を備えていてもよい。かかる係合部が設けられることにより、魚を収容した魚籠が釣人に係留される。したがって、釣人は、魚を収容した魚籠を携帯したまま実釣および釣場の移動を行うことができる。
【００２４】
上記腰パッドは、折りたたまれた魚籠を囲繞保持する保持ベルトを備えているのが好ましい。この場合には、折りたたまれた魚籠は、保持ベルトによって確実に保持されるから、実釣中又は釣場の移動中に魚籠が容易に腰パッドから外れてしまうことはない。また、魚籠が保持ベルトによって保持されているから、釣人にとって当該保持を解除する作業が簡単である。
【００２５】
上記保持ベルトは、中央部が上記腰パッドに固定されると共に両端部同士が面ファスナーを介して着脱自在となっている弾性帯から構成されているのが好ましい。この構成では、保持ベルトは、弾性的に引き延ばされて上記魚籠に巻き付けるように配置されたうえ、面ファスナーで固定される。折りたたまれた魚籠は、保持ベルトの弾性力によって確実に固定されるので、実釣中又は釣場の移動中に魚籠が容易に腰パッドから外れてしまうことはない。しかも、釣人は、上記面ファスナーを操作することによって保持ベルトを容易に外すことができるから、魚が釣れた場合には迅速に魚籠を取り出すことができる。
【００２６】
上記ベルト本体の長手方向に沿ってスライド自在に設けられた釣具アンカーがさらに備えられていてもよい。釣具アンカーがベルト本体に設けられているので、例えば、曳舟その他の釣道具がこの釣具アンカーに係留され得る。したがって、釣人は、各種釣道具を携帯したままで釣場を移動することができる。この釣具アンカーは、ベルト本体の長手方向に沿ってスライド自在であるから、釣人は、釣具アンカーをスライドさせることによって所望の位置に配置することができる。これにより、釣人は、実釣及び釣場の移動の妨げにならない位置に釣道具を係留することができる。しかも、上記腰パッドがベルト本体の端部に配置されていることから、この腰パッドが釣具アンカーのスライドの妨げにならず、釣具アンカーのスライド許容範囲が大きくなる。したがって、釣具アンカーは、当該釣人が所望する最適の位置に配置され得る。
【００２７】
上記ベルト本体に巻き付けられたクッション部材がさらに備えられていてもよい。実釣において、釣人は、タモ網の柄を身体とベルト本体との間に挿入することによってタモ網を携帯保持し、タモ網の柄をベルト本体から引き抜くことによってタモ網を操作することができる。ベルト本体にクッション部材が巻き付けられているので、タモ網の柄は、当該クッション部材と釣人の身体との間で挿抜されることとなる。具体的には、クッション部材が弾性変形することによって、タモ網の柄がクッション部材と釣人の身体との間に挿入されると共に、当該弾性力によってタモ網の柄が固定される。また、かかる弾性力によってタモ網の柄が保持されているから、タモ網の柄が容易にベルト本体から引き抜かれる。つまり、タモ網の柄が容易にベルト本体と釣人の身体との間に挿入され且つ確実に保持されると共に、容易にベルト本体から引き抜かれる。
【００２８】
(4) 上記目的が達成されるため、本発明に係るフィッシングベルトは、釣人の腰に巻き付けられるベルト本体と、ベルト本体の一端に設けられたソケット部材及びベルト本体の他端に設けられ、ソケット部材に連結解除自在に連結されるスタッド部材と、ソケット部材又はスタッド部材に隣接するようにベルト本体の端部に設けられ、釣人の腰部を覆う腰パッドと、ベルト本体に着脱自在に設けられた小物収容ポーチとを備えたことを特徴とするものである。
【００２９】
釣人は、ベルト本体を腰に巻き回すと共に当該ベルト本体の両端部に設けられたソケット部材とスタッド部材とを連結する。これにより、ベルト本体が釣人の腰に確実に巻き付けられる。なお、釣人は、スタッド部材をソケット部材から取り外すことにより、腰に巻き付けられたベルト本体を簡単に取り外すことができる。ベルト本体が釣人の腰に巻き付けられると、腰パッドが釣人の腰を覆う。これにより、ベルト本体は釣人の身体（腰部）に安定的に位置決めされた状態で配置され、実釣中に当該フィッシングベルトが釣人の身体に対してずれてしまうことがない。
【００３０】
ベルト本体に小物収容ポーチが設けられているので、例えば、針、釣糸、重り等の小型の釣道具は、当該小物収容ポーチに収容される。これにより、釣人は、実釣において必要となる多種類の釣道具を常に携帯することができる。この小物収容ポーチは、ベルト本体に対して着脱自在であるから、釣人が当該小物収容ポーチを必要としない場合は、これを取り外すことができる。
【００３１】
上記小物収容ポーチは、上記ベルト本体に着脱自在に巻き付けられる係止ベルトを有するのが好ましい。この係止ベルトによって、小物収容ポーチは、簡単にベルト本体に取り付けられ、また取り外される。
【００３２】
上記ベルト本体の長手方向に沿ってスライド自在に設けられた釣具アンカーがさらに備えられていてもよい。釣具アンカーがベルト本体に設けられているので、例えば、曳舟その他の釣道具がこの釣具アンカーに係留され得る。したがって、釣人は、各種釣道具を携帯したままで釣場を移動することができる。この釣具アンカーは、ベルト本体の長手方向に沿ってスライド自在であるから、釣人は、釣具アンカーをスライドさせることによって所望の位置に配置することができる。これにより、釣人は、実釣及び釣場の移動の妨げにならない位置に釣道具を係留することができる。しかも、上記腰パッドがベルト本体の端部に配置されていることから、この腰パッドが釣具アンカーのスライドの妨げにならず、釣具アンカーのスライド許容範囲が大きくなる。したがって、釣具アンカーは、当該釣人が所望する最適の位置に配置され得る。
【００３３】
上記ベルト本体に巻き付けられたクッション部材がさらに備えられていてもよい。実釣において、釣人は、タモ網の柄を身体とベルト本体との間に挿入することによってタモ網を携帯保持し、タモ網の柄をベルト本体から引き抜くことによってタモ網を操作することができる。ベルト本体にクッション部材が巻き付けられているので、タモ網の柄は、当該クッション部材と釣人の身体との間で挿抜されることとなる。具体的には、クッション部材が弾性変形することによって、タモ網の柄がクッション部材と釣人の身体との間に挿入されると共に、当該弾性力によってタモ網の柄が固定される。また、かかる弾性力によってタモ網の柄が保持されているから、タモ網の柄が容易にベルト本体から引き抜かれる。つまり、タモ網の柄が容易にベルト本体と釣人の身体との間に挿入され且つ確実に保持されると共に、容易にベルト本体から引き抜かれる。
【００３４】
折りたたみ可能な可撓性を有し、折りたたまれた状態で腰パッドに着脱自在に設けられた魚籠がさらに備えられていてもよい。ベルト本体に魚籠が設けられているので、釣人は、魚が釣れた場合に、この魚籠をベルト本体から取り外して当該魚を魚籠に収容することができる。この魚籠は、コンパクトに折りたたまれるから、ベルト本体に取り付けられた状態で実釣の妨げになることはない。なお、この魚籠は、魚を収容した状態でベルト本体に係合し得る係合部を備えていてもよい。かかる係合部が設けられることにより、魚を収容した魚籠が釣人に係留される。したがって、釣人は、魚を収容した魚籠を携帯したまま実釣および釣場の移動を行うことができる。
【発明の効果】
【００３５】
本発明によれば、ベルト本体に釣具アンカー、クッション部材、折畳式魚籠又は小物収容ポーチが取り付けられるので、各種釣道具を着脱自在に保持すると共にユーティリティに優れたフィッシングベルトが提供される。その結果、渓流釣りや鮎釣りにおいて、釣人は、タモ網の操作や釣れた魚の処理を容易に行うことができる。
【発明を実施するための最良の形態】
【００３６】
以下、適宜図面が参照されつつ、好ましい実施形態に基づいて本発明が詳細に説明される。
【００３７】
＜第１の実施形態＞
図１は、本発明の第１の実施形態に係るフィッシングベルトの斜視図である。
【００３８】
このフィッシングベルト１０は、典型的には渓流釣りや鮎釣りの際に釣人の腰に装着されるものであって、釣人は、このフィッシングベルト１０を着用することによって、実釣中及び釣場の移動中において種々の釣道具を携帯することができる。本実施形態の特徴とするところは、フィッシングベルト１０が釣具アンカー１１を備えており、この釣具アンカー１１がベルト本体１２に沿って自由にスライドするようになっている点である。
【００３９】
図２は、このフィッシングベルト１０が釣人Ｍの腰部に装着された状態を示す斜視図である。
【００４０】
図１及び図２が示すように、フィッシングベルト１０は、上記ベルト本体１２と、ベルト本体１２に設けられたソケット部材１３及びスタッド部材１４と、腰パッド１５と、上記釣具アンカー１１とを備えている。ベルト本体１２は、細長の矩形状に形成されており、可撓性を有する。ベルト本体１２を構成する材料は、例えば、ポリプロピレン（ＰＰ）、ポリアミド（ＰＡ）、ポリ塩化ビニル（ＰＶＣ）、エチレン酢酸ビニル共重合体（ＥＶＡ）、その他ポリエステル等が採用される。ソケット部材１３は、ベルト本体１２の一端に取り付けられており、スタッド部材１４は、ベルト本体１２の他端に取り付けられている。
【００４１】
図３は、ソケット部材１３及びスタッド部材１４の斜視図である。
【００４２】
これらソケット部材１３及びスタッド部材１４は既知の構成である。具体的には、スタッド部材１４は、ベルト連結部１６と係合突片１７とを備えている。ベルト連結部１６は環状に形成されており、ここにベルト本体１２の他端が巻回固定されている。係合突片１７は、連結柱１８と係止爪１９とを有し、連結柱１８がソケット部材１３に挿入され、その状態で係止爪１９がソケット部材１３に係合する。一方、ソケット部材１３は、ベルト連結部２０とケース２１とを備えている。ベルト連結部２０は、スタッド部材１４のベルト連結部１６と同様に環状に形成されており、ここにベルト本体１２の一端が巻回固定されている。ケース２１は、内部に係合凹部２２が形成されており、この係合凹部２２に上記係合突片１７が挿入される。ケース２１に爪係止部２３が設けられている。スタッド部材１４がソケット部材１３に嵌め込まれたときは、この爪係止部２３に上記係止爪１９が係合し、これにより、ソケット部材１３とスタッド部材１４とが連結される。釣人Ｍは、上記係止爪１９を上記ケース２１の内部に押し込むように操作すると、各係止爪１９と爪係止部２３との係合が解除され、スタッド部材１４がソケット部材１３から離脱する。
【００４３】
図４は、フィッシングベルト１０の腰部拡大斜視図である。図５は、釣具アンカー１１の正面斜視図であり、図６は、釣具アンカー１１の裏面斜視図である。また、図７は、釣具アンカー１１の取付要領を示す斜視図である。
【００４４】
図４及び図５が示すように、釣具アンカー１１は、アンカー本体２４と、取付ベルト２５とを備えている。アンカー本体２４は、ベルト本体１２に当接される当接部２６と、係合バー２７とを備えている。アンカー本体２４は、例えば、ポリオキシメチレン（ＰＯＭ）、ポリカーボネート（ＰＣ）、アクリロニトリルブタジエンスチレン共重合体（ＡＢＳ）、ポリプロピレン（ＰＰ）、エチレン酢酸ビニル共重合体（ＥＶＡ）、ポリ塩化ビニル（ＰＶＣ）、ポリアミド（ＰＡ）等から構成され、当接部２６及び係合バー２７は一体的に形成され得る。当接部２６は平板状に形成されており、ベルト本体１２に隙間なく当接される。当接部２６の縁部にスリット２８、２９が設けられている。これらスリット２８、２９は、後述のように取付ベルト２５が挿通されるようになっている。係合バー２７は、本実施形態では円柱状に形成されており、当接部２６の外側に位置するように配置されている。係合バー２７は、後述されるように釣道具に設けられたフック等が引っかけられるようになっている。なお、本実施形態では、上記係合バー２７が設けられているが、上記フック等が係合し得るものであれば、係合バー２７以外の部材が設けられていてもよいことは勿論である。
【００４５】
取付ベルト２５は、細長矩形に形成されており、例えばポリプロピレン（ＰＰ）、ポリアミド（ＰＡ）、その他ポリエステル等から構成されている。図６が示すように、この取付ベルト２５の一端部３０は、上記スリット２８に挿通され巻回固定されている。この取付ベルト２５の他端部３１は、図６が示す状態からスリット２９に挿通される。図５は、その状態を図示している。図５ないし図７が示すように、取付ベルト２５は、面ファスナー３２を備えている。この面ファスナー３２は、フックテープ３３及びループテープ３４を有し、図７が示すように、ループテープ３４がアンカー本体２４の当接部２６の裏面側に配置される。そして、取付ベルト２５の他端部３１に設けられたフックテープ３３が上記ループテープ３４に係合する。
【００４６】
この釣具アンカー１１は、次の要領で上記ベルト本体１２に取り付けられる。図６が示すように、まず、取付ベルト２５がスリット２９から引き抜かれる。この状態で、ベルト本体１２がアンカー本体２４の当接部２６の裏面側に配置される。具体的には、取付ベルト２５がベルト本体１２に巻き掛けられる。さらに、その状態で当該取付ベルト２５の他端部３１が上記スリット２９に挿通され、上記フックテープ３３が上記ループテープ３４に係合するように取付ベルト２５の他端部３１が当該取付ベルト２５に重ね合わされる。これにより、図３が示すように、釣具アンカー１１がベルト本体１２に取り付けられる。このとき、取付ベルト２５は、ベルト本体１２に巻き掛けられているだけであるから、取付ベルト２５は、ベルト本体１２の長手方向に相対的にスライド可能である。
【００４７】
図８は、フィッシングベルト１０が釣人Ｍの腰部に装着された状態を示す斜視図である。
【００４８】
取付ベルト２５がベルト本体１２の長手方向に相対的にスライド可能であることから、釣具アンカー１１のベルト本体１２に対する相対的位置は変化することができ、その結果、図８が示すように、釣具アンカー１１は、図３が示す位置からスライド移動することができる。このように、釣具アンカー１１が移動することによる作用効果については、後述される。
【００４９】
なお、本実施形態では、釣具アンカー１１は、上記取付ベルト２５を介して上記ベルト本体１２にスライド自在に取り付けられているが、この取付ベルト２５が省略されていてもよい。すなわち、例えば、アンカー本体２４の当接部２６に上記ベルト本体１２が挿通される環状部が形成され、当該環状部にベルト本体１２がスライド自在に挿通されていてもよい。この場合であっても、釣具アンカー１１は、ベルト本体１２に対して自在にスライドすることができる。
【００５０】
図９は、フィッシングベルト１０の要部拡大図であり、腰パッド１５の内側面の構造が詳細に図示されている。また、図１０は、フィッシングベルト１０の要部拡大正面図であり、腰ベルト１５の外側面の構造が詳細に図示されている。さらに、図１１は、フィッシングベルト１０の要部拡大斜視図であり、腰ベルト１５が立体的に図示されている。
【００５１】
腰パッド１５は、図２及び図８が示すように、フィッシングベルト１０を装着した釣人Ｍの腰部を覆うように配置される。このため、腰パッド１５は、横寸法Ｌが２０ｍｍ〜４０ｍｍ、縦寸法Ｈが４０ｍｍ〜２００ｍｍに設定された細長の平板状に形成されている。腰パッド１５は、ベルト本体１２の長手方向に沿って配置されており、後述されるようにベルト本体１２の一部を折りたたんで保持することができるようになっている。この腰パッド１５は、例えば、エチレン酢酸ビニル共重合体（ＥＶＡ）、ポリ塩化ビニル（ＰＶＣ）、ポリアミド（ＰＡ）、熱可塑性ゴム（ＴＰＲ）、サーモポリオレフィン（ＴＰＯ）、アクリロニトリルブタジエンゴム（ＮＢＲ）、天然ゴム（ＮＲ）等から構成され、その肉厚寸法は、１．０ｍｍ〜１０．０ｍｍに設定されている。これにより、腰パッド１５が十分な可撓性を有し、釣人Ｍの腰部にフィットする。なお、腰パッド１５は、適宜薄肉部３５及び肉抜部３６が設けられている。この薄肉部３５は、肉厚寸法が小さく設定されており、肉抜部３６は、円形の貫通孔からなる。これら薄肉部３５及び肉抜部３６が設けられることにより、腰パッド１５の可撓性がさらに向上する。もっとも、これら薄肉部３５及び肉抜部３６は、省略されていてもよい。
【００５２】
腰パッド１５の内面３７に複数の溝３８が設けられている。これら溝３８は、縦方向（ベルト本体１２の長手方向に直交する方向）に延びるように形成されている。これら溝３８が設けられることにより、腰パッド１５の内面に凹凸が形成されている。この凹凸が形成されることにより、腰パッド１５の可撓性がさらに向上するとともに、後述される作用効果が奏される。
【００５３】
図９ないし図１１が示すように、腰パッド１５はベルト挿通環３９、４０を備えている。これらベルト挿通環３９、４０は、ベルト本体１２が挿通されるようになっている。ベルト本体１２が腰ベルト１５に挿通される要領は、つぎの通りである。まず、ベルト本体１２の他端部がベルト挿通環３９に挿通される。このベルト本体１２の他端部は、図１１が示すようにベルト本体１２中央部の薄肉部３５を通り、ベルト挿通環４０に挿通される。そして、一端腰パッド１５の外部へ引き出されて、上記スタッド部材１４のベルト連結部１６に掛け回される。さらに、ベルト本体１２の他端部は、再び腰パッド１５のベルト挿通環４０に挿通され、上記薄肉部３５に沿って配置される。
【００５４】
すなわち、ベルト本体１２の一部は、上記ベルト挿通環３９、４０に掛け回されて腰パッド１５内で折り返されている。ベルト本体１２の折り返し量は、適宜調整され得る。このとき、上記スタッド部材１４は、腰パッド１５に隣接するように配置されており、その結果、腰パッド１５は、ベルト本体１２の端部に配置されることになる。腰パッド１５がベルト本体１２の端部に配置されること、及びベルト本体１２が腰パッド１５内で折り返されることによる作用効果については、後述される。
【００５５】
釣人Ｍは、本実施形態に係るフィッシングベルト１０を次のようにして使用する。図２及び図３が示すように、釣人Ｍは、ベルト本体１２を腰に巻き回すと共に、ソケット部材１３にスタッド部材１４を嵌め込んで両者を連結する。これにより、ベルト本体１２が釣人Ｍの腰に確実に巻き付けられ、フィッシングベルト１０が装着される。なお、釣人Ｍは、スタッド部材１４の係止爪１９を押さえることにより、簡単にスタッド部材１４がソケット部材１３から離脱し、フィッシングベルト１０を身体から取り外すことができる。ベルト本体１２が釣人Ｍの腰に巻き付けられると、図２及び図８が示すように腰パッド１５が釣人Ｍの腰を覆う。これにより、ベルト本体１２は釣人の腰部に安定的に位置決めされ、実釣中にフィッシングベルト１０が釣人の身体に対してずれてしまうことがない。
【００５６】
図２及び図３が示すように、釣具アンカー１１がベルト本体１２に設けられているので、釣人Ｍは、曳舟その他の釣道具をこの釣具アンカー１１に係留することができる。したがって、釣人Ｍは、例えば鮎釣りの際に、各種釣道具を携帯したままで釣場を移動することができる。この釣具アンカー１１は、ベルト本体１２の長手方向に沿って図３が示す位置から図８が示す位置までスライド自在であるから、釣人Ｍは、釣具アンカー１１を所望の位置に配置することができる。これにより、釣人Ｍは、実釣及び釣場の移動の妨げにならない位置に曳舟等の釣道具を係留することができる。しかも、前述のように腰パッド１５がベルト本体１２の端部に配置されていることから、この腰パッド１５が釣具アンカー１１のスライドの妨げにならない。したがって、釣具アンカー１１は、釣人Ｍの腰の右部から左部までスライドすることができ、その結果、釣具アンカー１１は、釣人Ｍが所望する最適の位置に配置され得る。
【００５７】
また、釣具アンカー１１は、取付ベルト２５（図５参照）を介してベルト本体１２に着脱自在に取り付けられている。釣人Ｍは、この取付ベルト２５を操作することによって、釣具アンカー１１をベルト本体１２に自在に着脱することができる。したがって、釣人Ｍが釣具アンカー１１を必要としないときは、これを取り外しておくことができ、実釣において釣具アンカー１１が邪魔になることはない。
【００５８】
さらに、釣具アンカー１１は係合バー２７を備えているから、係留される釣道具が係留のためのフック等を有する場合には、釣人Ｍは、この釣道具を係合バー２７に簡単に係合させることができるという利点がある。もっとも、釣人Ｍは、上記フック等を操作することによって、当該釣道具の係留を簡単に解除することもできる。
【００５９】
加えて、腰パッド１５が可撓性を有する細長平板状部材であり、ベルト本体１２の長手方向に沿って配置されているので、腰パッド１５が釣人Ｍの腰部にソフトにフィットし、腰パッド１５が実釣及び釣場の移動における釣人Ｍの身体の動きに追従する。したがって、釣人Ｍは、フィッシングベルト１０を着用したときであっても、身体を容易に動かすことができる。特に、腰パッド１５の内面３７に凹凸が形成されているから、腰パッド１５と釣人Ｍの腰部との間の摩擦抵抗が大きくなる。したがって、腰パッド１５が釣人Ｍの身体に対して滑りにくくなり、釣人Ｍの腰部にぴったりとフィットする。これにより、腰パッド１５が実釣及び釣場の移動における釣人の身体の動きによりスムーズに追従することができるという利点がある。
【００６０】
しかも、ベルト本体１２の一部は、腰パッド１５のベルト挿通環４９、５０に挿通されて任意に折り返される。この折り返し部分の長さが大きく設定されることにより、フィッシングベルト１０の長さ（具体的には、ベルト本体１２に設けられたソケット部材１３からスタッド部材１４までの距離）が短くなるように調整され、また、この折り返し部分の長さが小さく設定されることにより、当該フィッシングベルトの長さが長くなるように調整される。すなわち、フィッシングベルト１０は、釣人Ｍの体格に合わせて長さ調整が可能であり、釣人Ｍの身体に常にフィットする。しかも、この腰パッド１５は、ベルト本体１２の長さ調整機能を備えることになるから、従来から用いられていたベルト本体の長さを調整するための部材（いわゆるＨ環）がベルト本体１２に設けられる必要はない。そのため、例えば、上記釣具アンカー１１がベルト本体１２に沿ってスライドできる領域がさらに広くなり、釣人Ｍは、釣具アンカー１１を所望の位置に配置することができる。
【００６１】
＜第２の実施形態＞
次に、本発明の第２の実施形態について説明される。図１２は、本発明の第２の実施形態に係るフィッシングベルトの斜視図である。同図は、釣人Ｍがフィッシングベルト５０を装着した状態が図示されている。
【００６２】
本実施形態に係るフィッシングベルト５０が上記第１の実施形態に係るフィッシングベルト１０と異なるところは、このフィッシングベルト５０は、上記フィッシングベルト１０に設けられた釣具アンカー１１に代えてクッション部材５１が設けられている点である。なお、フィッシングベルト５０のその他の構成は、上記フィッシングベルト１０と同様である。したがって、上記フィッシングベルト１０と同様の構成については、その説明が省略される。
【００６３】
クッション部材５１は、弾性を有するシート（典型的には、クロロプレンゴム）からなる。クッション部材５１の肉厚寸法は、１．０ｍｍ〜１０．０ｍｍの範囲で適宜設定され得る。図１３は、このクッション部材５１のベルト本体１２への取付要領を示す図である。図１４は、このクッション部材５１の正面図であり、内面側が図示されている。図１５は、このクッション部材の斜視図である。同図では、クッション部材５１の外面の一部が図示されている。
【００６４】
図１２及び図１３が示すように、クッション部材５１は、ベルト本体１２に巻き付けられている。具体的には、クッション部材５１は、その内面５５がベルト本体１２の周囲を覆うように配置される。図１４及び図１５が示すように、クッション部材５１は面ファスナー５２を備えている。クッション部材５１の内面５５にフックテープ５３が取り付けられ、クッション部材５１の外面５６にループテープ５４が取り付けられている。図１３が示すように、クッション部材５１がベルト本体１２に巻き付けられ、ループテープ５４にフックテープ５３が係合されることにより、クッション部材５１は、図１２が示すようにベルト本体１２に取り付けられる。このように、クッション部材５１は、面ファスナー５２によってベルト本体１２に巻き付いた状態が保持される。したがって、釣人Ｍは、クッション部材５１をベルト本体１２に沿ってスライドさせることも可能である。
【００６５】
ところで、鮎釣りや渓流釣りの実釣においては、釣人Ｍは、一般にタモ網を使用する。釣人Ｍは、タモ網の柄を身体とベルト本体１２との間に挿入することによってタモ網を保持携帯する。そして、ヒットした魚を取り込む場合には、タモ網の柄をベルト本体１２から引き抜き、タモ網を操作する。本実施形態に係るフィッシングベルト５０では、ベルト本体１２にクッション部材５１が巻き付けられているので、タモ網の柄は、クッション部材５１と釣人Ｍの身体との間で挿抜されることとなる。すなわち、タモ網の柄がクッション部材５１と釣人Ｍの身体との間に挿入されると、クッション部材５１が弾性変形し、当該弾性力によってタモ網の柄が固定される。また、かかる弾性力によってタモ網の柄が保持されているだけであるから、タモ網の柄が容易にベルト本体１２から引き抜かれる。つまり、タモ網の柄が容易にベルト本体１２と釣人Ｍの身体との間に挿抜されるので、釣人は、実釣においてタモ網の操作を円滑に行うことができる。
【００６６】
特に、上記クッション部材５１の肉厚が１．０ｍｍ〜１０．０ｍｍに設定されているので、タモ網の柄を保持するために必要且つ十分な弾性力が得られる。したがって、タモ網の柄は、クッション部材５１と釣人Ｍの身体との間にきわめてスムーズに挿入され且つ確実に保持されると共に、容易にベルト本体１２から引き抜かれるという利点がある。
【００６７】
前述のように、クッション部材５１は、上記面ファスナー５２によってベルト本体１２に取り付けられているから、当該クッション部材５１がベルト本体１２の任意の位置に保持される。つまり、釣人Ｍは、所望するベルト本体１２の所定の位置にクッション部材５１を着脱自在に取り付けることができる。したがって、釣人Ｍは、タモ網の柄を挿抜する作業を最も容易且つ円滑に行うことができる位置にクッション部材５１を設置することができ、その結果、タモ網の操作性がさらに向上する。
【００６８】
また、上記第１の実施形態に係る釣具アンカー１１が本実施形態に係るベルト本体１２に設けられていてもよい。そして、上記第１の実施形態と同様に、釣具アンカー１１は、ベルト本体１２の長手方向に沿ってスライド自在に設けられているのが好ましい。その場合には、上記図２及び図３が示すように、釣具アンカー１１がベルト本体１２に設けられるので、釣人Ｍは、曳舟その他の釣道具をこの釣具アンカー１１に係留することができ、例えば鮎釣りの際に、各種釣道具を携帯したままで釣場を移動することができる。
【００６９】
前述のように、釣具アンカー１１は、ベルト本体１２の長手方向に沿って図３が示す位置から図８が示す位置までスライド自在であるから、釣人Ｍは、釣具アンカー１１を所望の位置に配置することができる。したがって、釣人Ｍは、実釣及び釣場の移動の妨げにならない位置に曳舟等の釣道具を係留することができる。さらに、前述のように、腰パッド１５がベルト本体１２の端部に配置されていることから、この腰パッド１５が釣具アンカー１１のスライドの妨げにならず、釣具アンカー１１は、釣人Ｍの腰の右部から左部までスライドすることができる。しかも、腰パッド１５がベルト本体１２の長さ調整機能を備えることになるから、従来から用いられていたベルト本体の長さを調整するための部材（いわゆるＨ環）がベルト本体１２に設けられる必要はなく、そのため、釣具アンカー１１がベルト本体１２に沿ってスライドできる領域がさらに広くなる。したがって、釣人Ｍは、釣具アンカー１１をより最適な位置に配置することができる。
【００７０】
本実施形態においても、この釣具アンカー１１は、取付ベルト２５（図５参照）を介してベルト本体１２に着脱自在に取り付けられているのが好ましい。釣人Ｍは、この取付ベルト２５を操作することによって、釣具アンカー１１をベルト本体１２に自在に着脱することができる。したがって、釣人Ｍが釣具アンカー１１を必要としないときは、これを取り外しておくことができ、実釣において釣具アンカー１１が邪魔になることはない。
【００７１】
さらに、本実施形態においても、釣具アンカー１１は、係合バー２７（図３参照）を備えているのが好ましい。これにより、係留される釣道具が係留のためのフック等を有する場合には、釣人Ｍは、この釣道具を係合バー２７に簡単に係合させることができるという利点がある。もっとも、釣人Ｍは、上記フック等を操作することによって、当該釣道具の係留を簡単に解除することもできる。
【００７２】
＜第３の実施形態＞
次に、本発明の第３の実施形態について説明される。図１６は、本発明の第３の実施形態に係るフィッシングベルトの斜視図である。同図は、釣人Ｍがフィッシングベルト６０を装着した状態が図示されている。
【００７３】
本実施形態に係るフィッシングベルト６０が上記第１の実施形態に係るフィッシングベルト１０と異なるところは、このフィッシングベルト６０は、上記フィッシングベルト１０に設けられた釣具アンカー１１に代えて折り畳み可能な魚籠６１が着脱自在に設けられている点である。なお、フィッシングベルト６０のその他の構成は、上記フィッシングベルト１０と同様である。したがって、上記フィッシングベルト１０と同様の構成については、その説明が省略される。
【００７４】
同図が示すように、この魚籠６１は、フィッシングベルト６０の腰パッド１５に取り付けられている。この腰パッド１５は、保持ベルト６２を備えており、この保持ベルト６２が折り畳まれた魚籠６１を着脱自在に囲繞保持している。
【００７５】
図１７は、フィッシングベルト６０の斜視図である。同図は、保持ベルト６２の取付要領を示している。また、図１８は、保持ベルト６２の斜視図である。
【００７６】
保持ベルト６２は、細長矩形の弾性帯からなる。保持ベルト６２を構成する材料は、例えば、クロロプレンゴム（ＣＲ）等が採用され得る。図１７が示すように、保持ベルト６２は、腰パッド１５と腰パッド１５に挿通されたベルト本体１２との間に挿入されている。図９及び図１０が示すように、ベルト本体１２がベルト挿通環４９、５０に挿通される結果、ベルト本体１２の一部は、腰パッド１５の外面側に露出することになる。本実施形態では、保持ベルト６２は、このベルト挿通環４９とベルト本体１２との間に挟み込まれて保持されている。
【００７７】
保持ベルト６２は、その内面及び外面に面ファスナー６３を備えている。具体的には、保持ベルト６２の内面にループテープ６４が取り付けられ、外面にフックテープ６５が取り付けられている。この保持ベルト６２は、図１６が示すように、上記魚籠６１の外周面に巻き付けられ、上記面ファスナー６３によって環状に形成されることにより、当該魚籠６１を囲繞保持することができる。なお、保持ベルト６２に代えて、上記魚籠６１を保持するための種々の保持部材が採用され得ることは勿論である。例えば、保持ベルト６２に代えて、上記魚籠６１を収容保持する袋状部材等が設けられていてもよい。
【００７８】
図１９は、上記魚籠６１の斜視図であり、この魚籠６１が折りたたまれた状態が示されている。図２０は、この魚籠６１の正面図である。
【００７９】
これらの図が示すように、魚籠６１は、袋状に形成されており、可撓性に優れた生地から構成されている。魚籠６１を構成する生地としては、例えば、ポリプロピレン（ＰＰ）、ポリアミド（ＰＡ）、ポリ塩化ビニル（ＰＶＣ）、その他ポリエステル等が採用され得る。この生地は、メッシュ構造を備えているのが好ましい。魚籠６１の開口部６６の周縁内部に紐６７が挿通されている。この紐６７が上記開口部６６の内部から引き出されることによって、当該開口部６６が絞られる。紐６７は、ストッパ６８を有する。このストッパ６８は、当該紐６７が上記開口部６６の内部に引き戻されることを防止し、当該開口部６６の閉口状態を維持する。なお、ストッパ６８の構造は既知である。また、紐６７は、フック６９を備えている。このフック６７は、例えば、上記第１の実施形態に係る釣具アンカー１１に係合することができるように構成されている。
【００８０】
本実施形態に係るフィッシングベルト６０では、腰パッド１５に魚籠６１が設けられているので、釣人Ｍは、魚籠６１をベルト本体１２から取り外して釣れた魚を魚籠６１に収容することができる。この魚籠６１は、コンパクトに折りたたまれるから、腰パッド１５に取り付けられた状態であっても実釣の妨げになることはない。また、この魚籠６１は、上記フック６９を備えているから、魚を収容した魚籠６１が釣人Ｍに係留され得る。したがって、釣人Ｍは、魚を収容した魚籠６１を携帯したままで、実釣および釣場の移動を行うことができる。
【００８１】
上記魚籠６１は、腰パッド１５に設けられた保持ベルト６２が巻き付けられることによって保持される。特に本実施形態では、保持ベルト６２は弾性帯から構成されているので、弾性的に引き延ばされた保持ベルト６２が魚籠６１に巻き付けられ、上記面ファスナー６３により固定される。したがって、折り畳まれた魚籠６１が実釣中又は釣場の移動中に容易に腰パッド１５から外れてしまうことはない。また、釣人Ｍは、上記面ファスナー６３（図１６参照）の係合を外すことによって保持ベルト６２による保持を解除することができるから、釣人Ｍにとって魚籠６１を簡単且つ迅速に取り出すことができる。
【００８２】
また、上記第１の実施形態に係る釣具アンカー１１が本実施形態に係るベルト本体１２に設けられていてもよい。そして、上記第１の実施形態と同様に、釣具アンカー１１は、ベルト本体１２の長手方向に沿ってスライド自在に設けられているのが好ましい。その場合には、上記図２及び図３が示すように、釣具アンカー１１がベルト本体１２に設けられるので、釣人Ｍは、曳舟その他の釣道具をこの釣具アンカー１１に係留することができ、例えば鮎釣りの際に、各種釣道具を携帯したままで釣場を移動することができる。
【００８３】
前述のように、釣具アンカー１１は、ベルト本体１２の長手方向に沿って図３が示す位置から図８が示す位置までスライド自在であるから、釣人Ｍは、釣具アンカー１１を所望の位置に配置することができる。したがって、釣人Ｍは、実釣及び釣場の移動の妨げにならない位置に曳舟等の釣道具を係留することができる。しかも、前述のように腰パッド１５がベルト本体１２の端部に配置されていることから、この腰パッド１５が釣具アンカー１１のスライドの妨げにならず、釣具アンカー１１は、釣人Ｍの腰の右部から左部までスライドすることができる。しかも、腰パッド１５がベルト本体１２の長さ調整機能を備えることになるから、従来から用いられていたベルト本体の長さを調整するための部材（いわゆるＨ環）がベルト本体１２に設けられる必要はなく、そのため、釣具アンカー１１がベルト本体１２に沿ってスライドできる領域がさらに広くなる。したがって、釣人Ｍは、釣具アンカー１１をより最適な位置に配置することができる。
【００８４】
本実施形態においても、この釣具アンカー１１は、取付ベルト２５（図５参照）を介してベルト本体１２に着脱自在に取り付けられているのが好ましい。釣人Ｍは、この取付ベルト２５を操作することによって、釣具アンカー１１をベルト本体１２に自在に着脱することができる。したがって、釣人Ｍが釣具アンカー１１を必要としないときは、これを取り外しておくことができ、実釣において釣具アンカー１１が邪魔になることはない。
【００８５】
さらに、本実施形態においても、釣具アンカー１１は、係合バー２７（図３参照）を備えているのが好ましい。これにより、係留される釣道具が係留のためのフック等を有する場合には、釣人Ｍは、この釣道具を係合バー２７に簡単に係合させることができるという利点がある。特に、本実施形態では、上記魚籠６１に設けられたフック６９が、この係合バー２７に簡単に係合される。したががって、釣人Ｍは、実釣中及び釣場の移動中において、魚籠６１を常に携帯することができる。
【００８６】
また、上記第２の実施形態に係るクッション部材５１（図１２参照）が本実施形態に係るベルト本体１２に設けられていてもよい。前述のように、実釣において釣人Ｍは、タモ網の柄を身体とベルト本体１２との間に挿入することによってタモ網を携帯保持し、タモ網の柄をベルト本体１２から引き抜くことによってタモ網を操作する。ベルト本体１２にクッション部材５１が巻き付けられることにより、タモ網の柄は、クッション部材５１と釣人Ｍの身体との間で挿抜されることとなる。すなわち、タモ網の柄がクッション部材５１と釣人Ｍの身体との間に挿入されると、クッション部材５１が弾性変形し、当該弾性力によってタモ網の柄が固定される。また、かかる弾性力によってタモ網の柄が保持されているだけであるから、タモ網の柄が容易にベルト本体１２から引き抜かれる。つまり、タモ網の柄が容易にベルト本体１２と釣人Ｍの身体との間に挿抜されるので、釣人は、実釣においてタモ網の操作を円滑に行うことができる。
【００８７】
本実施形態においても、上記クッション部材５１の肉厚が１．０ｍｍ〜１０．０ｍｍに設定されることにより、タモ網の柄を保持するために必要且つ十分な弾性力が得られる。したがって、タモ網の柄は、クッション部材５１と釣人Ｍの身体との間にきわめてスムーズに挿入され且つ確実に保持されると共に、容易にベルト本体１２から引き抜かれることになる。
【００８８】
さらに、上記第２の実施形態と同様に、クッション部材５１が面ファスナー５２（図１３参照）によってベルト本体１２に取り付けられていてもよい。これにより、クッション部材５１がベルト本体１２の任意の位置に保持される。つまり、釣人Ｍは、所望するベルト本体１２の所定の位置にクッション部材５１を着脱自在に取り付けることができることになる。したがって、釣人Ｍは、タモ網の柄を挿抜する作業を最も容易且つ円滑に行うことができる位置にクッション部材５１を設置することができ、その結果、タモ網の操作性がさらに向上する。
【００８９】
＜第４の実施形態＞
次に、本発明の第４の実施形態について説明される。図２１は、本発明の第４の実施形態に係るフィッシングベルトの斜視図である。同図は、釣人Ｍがフィッシングベルト８０を装着した状態が図示されている。
【００９０】
本実施形態に係るフィッシングベルト８０が上記第１の実施形態に係るフィッシングベルト１０と異なるところは、このフィッシングベルト８０は、上記フィッシングベルト１０のベルト本体１２に小型釣道具を収容する小物収容ポーチ８１が追加して設けられている点、及びこの小物収容ポーチ８１は、ベルト本体１２に着脱自在に設けられている点である。ただし、ベルト本体１２に設けられた釣具アンカー１１は、取り外されていてもよい。なお、フィッシングベルト８０において、上記小物収容ポーチ８１以外の構成は、上記フィッシングベルト１０と同様である。したがって、上記フィッシングベルト１０と同様の構成については、その説明が省略される。
【００９１】
小物収容ポーチ８１は、ベルト本体１２に取り付けられている。図２２は、小物収容ポーチ８１の斜視図である。
【００９２】
小物収容ポーチ８１は、ポーチ本体８２と、係止ベルト８３とを備えている。ポーチ本体８２は、例えば、ポリ塩化ビニル（ＰＶＣ）、ポリエステル繊維入りポリ塩化ビニル（ＰＶＣ）、ポリアミド（ＰＡ）、その他ポリエステル等から構成され、袋状に形成されている。このポーチ本体８２を構成する生地は、メッシュ構造を備えていてもよい。ポーチ本体８２は、スライドファスナー８４を有し、釣人Ｍがこのスライドファスナー８４を操作することによって、ポーチ本体８２の開口を開閉することができる。なお、ポーチ本体８２には、釣針、重り、釣糸等の小型の釣道具が収容され得る。
【００９３】
係止ベルト８３は二分割されており、面ファスナー８７を備えている。すなわち、係止ベルト８３の一方にフックテープ８５が取り付けられ、係止ベルト８３の他方にループテープ８６が取り付けられている。そして、これら一対の係止ベルト８３が上記ベルト本体１２に巻き付けられ、上記面ファスナー８７によって当該巻付状態が維持されることにより、小物収容ポーチ８１が上記ベルト本体１２に取り付けられる。もっとも、上記フックテープ８５とループテープ８６との係合が解除されることにより、小物収容ポーチ８１は、上記ベルト本体１２から取り外される。
【００９４】
本実施形態に係るフィッシングベルト８０では、ベルト本体１２に小物収容ポーチ８１が設けられているので、上記小型の釣道具が小物収容ポーチ８１に収容される。釣人Ｍは、上記スライドファスナー８４を操作することにより、小物収容ポーチ８１から適宜釣道具を迅速に取り出すことができるので、実釣において必要となる多種類の釣道具を常に携帯することができる。この小物収容ポーチ８１は、ベルト本体１２に対して着脱自在であるから、釣人Ｍが小物収容ポーチ８１を必要としない場合は、これを取り外すことができる。特に、本実施形態では、小物収容ポーチ８１は、上記係止ベルト８３によってベルト本体１２に着脱自在に取り付けられている。このため、釣人Ｍは、小物収容ポーチ８１を簡単にベルト本体１２に取り付け、また取り外すことができる。
【００９５】
本実施形態では、上記第１の実施形態に係る釣具アンカー１１がベルト本体１２に設けられている。この釣具アンカー１１は、ベルト本体１２の長手方向に沿ってスライド自在となっている（図２及び図３参照）。したがって、釣人Ｍは、曳舟その他の釣道具をこの釣具アンカー１１に係留することができ、例えば鮎釣りの際に、各種釣道具を携帯したままで釣場を移動することができる。
【００９６】
前述のように、釣具アンカー１１は、ベルト本体１２の長手方向に沿って図３が示す位置から図８が示す位置までスライド自在であるから、釣人Ｍは、釣具アンカー１１を所望の位置に配置することができる。したがって、釣人Ｍは、実釣及び釣場の移動の妨げにならない位置に曳舟等の釣道具を係留することができる。しかも、前述のように腰パッド１５がベルト本体１２の端部に配置されていることから、この腰パッド１５が釣具アンカー１１のスライドの妨げにならず、釣具アンカー１１は、釣人Ｍの腰の右部から左部までスライドすることができる。しかも、腰パッド１５がベルト本体１２の長さ調整機能を備えることになるから、従来から用いられていたベルト本体の長さを調整するための部材（いわゆるＨ環）がベルト本体１２に設けられる必要はなく、そのため、釣具アンカー１１がベルト本体１２に沿ってスライドできる領域がさらに広くなる。したがって、釣人Ｍは、釣具アンカー１１をより最適な位置に配置することができる。
【００９７】
本実施形態においても、この釣具アンカー１１は、取付ベルト２５（図５参照）を介してベルト本体１２に着脱自在に取り付けられている。釣人Ｍは、この取付ベルト２５を操作することによって、釣具アンカー１１をベルト本体１２に自在に着脱することができる。したがって、釣人Ｍが釣具アンカー１１を必要としないときは、これを取り外しておくことができ、実釣において釣具アンカー１１が邪魔になることはない。
【００９８】
さらに、本実施形態においても、釣具アンカー１１は、係合バー２７（図３参照）を備えている。これにより、係留される釣道具が係留のためのフック等を有する場合には、釣人Ｍは、この釣道具を係合バー２７に簡単に係合させることができるという利点がある。もっとも、釣人Ｍは、上記フック等を操作することによって、当該釣道具の係留を簡単に解除することもできる。
【００９９】
また、上記第２の実施形態に係るクッション部材５１（図１２参照）が本実施形態に係るベルト本体１２に設けられていてもよい。前述のように、実釣において釣人Ｍは、タモ網の柄を身体とベルト本体１２との間に挿入することによってタモ網を携帯保持し、タモ網の柄をベルト本体１２から引き抜くことによってタモ網を操作する。ベルト本体１２にクッション部材５１が巻き付けられることにより、タモ網の柄は、クッション部材５１と釣人Ｍの身体との間で挿抜されることとなる。すなわち、タモ網の柄がクッション部材５１と釣人Ｍの身体との間に挿入されると、クッション部材５１が弾性変形し、当該弾性力によってタモ網の柄が固定される。また、かかる弾性力によってタモ網の柄が保持されているだけであるから、タモ網の柄が容易にベルト本体１２から引き抜かれる。つまり、タモ網の柄が容易にベルト本体１２と釣人Ｍの身体との間に挿抜されるので、釣人は、実釣においてタモ網の操作を円滑に行うことができる。
【０１００】
本実施形態においても、上記クッション部材５１の肉厚が１．０ｍｍ〜１０．０ｍｍに設定されることにより、タモ網の柄を保持するために必要且つ十分な弾性力が得られる。したがって、タモ網の柄は、クッション部材５１と釣人Ｍの身体との間にきわめてスムーズに挿入され且つ確実に保持されると共に、容易にベルト本体１２から引き抜かれることになる。
【０１０１】
さらに、上記第２の実施形態と同様に、クッション部材５１が面ファスナー５２（図１３参照）によってベルト本体１２に取り付けられていてもよい。これにより、クッション部材５１がベルト本体１２の任意の位置に保持される。つまり、釣人Ｍは、所望するベルト本体１２の所定の位置にクッション部材５１を着脱自在に取り付けることができることになる。したがって、釣人Ｍは、タモ網の柄を挿抜する作業を最も容易且つ円滑に行うことができる位置にクッション部材５１を設置することができ、その結果、タモ網の操作性がさらに向上する。
【０１０２】
加えて、上記第３の実施形態と同様に、腰パッド１５に魚籠６１（図１６参照）が設けられていてもよい。この場合、釣人Ｍは、魚籠６１をベルト本体１２から取り外して釣れた魚を魚籠６１に収容することができる。この魚籠６１は、コンパクトに折りたたまれるから、腰パッド１５に取り付けられた状態であっても実釣の妨げになることはない。また、この魚籠６１は、上記フック６９を備えているから、魚を収容した魚籠６１が釣人Ｍに係留され得る。したがって、釣人Ｍは、魚を収容した魚籠６１を携帯したままで、実釣および釣場の移動を行うことができる。
【０１０３】
また、上記第３の実施形態と同様に、上記魚籠６１は、腰パッド１５に設けられた保持ベルト６２が巻き付けられることによって保持されているのが好ましい。この保持ベルト６２は弾性帯から構成されているので、弾性的に引き延ばされた保持ベルト６２が魚籠６１に巻き付けられ、面ファスナー６３（図１６参照）により固定される。したがって、折り畳まれた魚籠６１が実釣中又は釣場の移動中に容易に腰パッド１５から外れてしまうことはない。また、釣人Ｍは、上記面ファスナー６３の係合を外すことによって保持ベルト６２による保持を解除することができるから、釣人Ｍにとって魚籠６１を簡単且つ迅速に取り出すことができる。
【産業上の利用可能性】
【０１０４】
本発明は、鮎釣りや渓流釣りに使用されるフィッシングベルトに適用され得る。
【図面の簡単な説明】
【０１０５】
【図１】図１は、本発明の第１の実施形態に係るフィッシングベルトの斜視図である。
【図２】図２は、本発明の第１の実施形態に係るフィッシングベルトが釣人の腰部に装着された状態を示す斜視図である。
【図３】図３は、本発明の第１の実施形態に係るフィッシングベルトのソケット部材及びスタッド部材の斜視図である。
【図４】図４は、本発明の第１の実施形態に係るフィッシングベルトの腰部拡大斜視図である。
【図５】図５は、本発明の第１の実施形態に係るフィッシングベルトの釣具アンカーの正面斜視図である。
【図６】図６は、本発明の第１の実施形態に係るフィッシングベルトの釣具アンカーの裏面斜視図である。
【図７】図７は、本発明の第１の実施形態に係るフィッシングベルトの釣具アンカーの取付要領を示す斜視図である。
【図８】図８は、本発明の第１の実施形態に係るフィッシングベルトが釣人の腰部に装着された状態を示す斜視図である。
【図９】図９は、本発明の第１の実施形態に係るフィッシングベルトの要部拡大図である。
【図１０】図１０は、本発明の第１の実施形態に係るフィッシングベルトの要部拡大正面図である。
【図１１】図１１は、本発明の第１の実施形態に係るフィッシングベルトの要部拡大斜視図である。
【図１２】図１２は、本発明の第２の実施形態に係るフィッシングベルトの斜視図である。
【図１３】図１３は、本発明の第２の実施形態に係るフィッシングベルトのクッション部材がベルト本体に取り付けられる要領を示す図である。
【図１４】図１４は、本発明の第２の実施形態に係るフィッシングベルトのクッション部材の正面図である。図１５は、このクッション部材の斜視図である。
【図１５】図１５は、本発明の第２の実施形態に係るフィッシングベルトのクッション部材の斜視図である。
【図１６】図１６は、本発明の第３の実施形態に係るフィッシングベルトの斜視図である。
【図１７】図１７は、本発明の第３の実施形態に係るフィッシングベルトの斜視図である。
【図１８】図１８は、本発明の第３の実施形態に係るフィッシングベルトの保持ベルトの斜視図である。
【図１９】図１９は、本発明の第３の実施形態に係るフィッシングベルトの魚籠の斜視図である。この魚籠６１の正面図である。
【図２０】図２０は、本発明の第３の実施形態に係るフィッシングベルトの魚籠の正面図である。
【図２１】図２１は、本発明の第４の実施形態に係るフィッシングベルトの斜視図である。
【図２２】図２２は、本発明の第４の実施形態に係るフィッシングベルトの小物収容ポーチの斜視図である。
【符号の説明】
【０１０６】
１０・・・フィッシングベルト
１１・・・釣具アンカー
１２・・・ベルト本体
１３・・・ソケット部材
１４・・・スタッド部材
１５・・・腰パッド
２４・・・アンカー本体
２５・・・取付ベルト
２６・・・当接部
２７・・・係合バー
２８・・・スリット
２９・・・スリット
３０・・・取付ベルトの一端部
３１・・・取付ベルトの他端部
３２・・・面ファスナー
３３・・・フックテープ
３４・・・ループテープ
３５・・・薄肉部
３６・・・肉抜部
３７・・・腰パッドの内面
３８・・・溝
３９・・・ベルト挿通環
４０・・・ベルト挿通環
５０・・・フィッシングベルト
５１・・・クッション部材
５２・・・面ファスナー
５３・・・フックテープ
５４・・・ループテープ
６０・・・フィッシングベルト
６１・・・魚籠
６２・・・保持ベルト
６３・・・面ファスナー
６４・・・ループテープ
６５・・・フックテープ
６９・・・フック
８０・・・フィッシングベルト
８１・・・小物収容ポーチ
８３・・・係止ベルト
【図１】
2006230308.tif 000003
【図２】
2006230308.tif 000004
【図３】
2006230308.tif 000005
【図４】
2006230308.tif 000006
【図５】
2006230308.tif 000007
【図６】
2006230308.tif 000008
【図７】
2006230308.tif 000009
【図８】
2006230308.tif 000010
【図９】
2006230308.tif 000011
【図１０】
2006230308.tif 000012
【図１１】
2006230308.tif 000013
【図１２】
2006230308.tif 000014
【図１３】
2006230308.tif 000015
【図１４】
2006230308.tif 000016
【図１５】
2006230308.tif 000017
【図１６】
2006230308.tif 000018
【図１７】
2006230308.tif 000019
【図１８】
2006230308.tif 000020
【図１９】
2006230308.tif 000021
【図２０】
2006230308.tif 000022
【図２１】
2006230308.tif 000023
【図２２】
2006230308.tif 000024